(57)【要約】      （修正有）【課題】夏の強い直射日光及び紫外線を遮り屋外で活動する人の頭部及び首筋後部を保護する頭部保護布を提供する。【解決手段】頭部保護布は、ヘルメット，帽子等に直射日光が当たらないように、脱着可能な取り付け金具部品コ字天板に面ファスナーを使って接合する。頭部保護布の側面は頭部に密着でなく、通気性の空間を持たせる三角形の形状であることを特徴とする。【選択図】図１
0003157963.tif 000002
【実用新案登録請求の範囲】
【請求項１】
日射しの強い炎天下の屋外で活動する人に、頭部保護布（図１参照）を頭、帽子、ヘルメット等に取り付け、直射日光及び紫外線から頭を保護する事を、特徴とする頭部保護布。
【請求項２】
頭部保護布（図１参照）の側面は三角形の形状を形成していて、頭部に密着でなく通気性の空間を持たせ、又女性のヘヤーを上からおさえ髪形を崩さない、三角形の形状を特徴とする請求項１記載の頭部保護布。
【請求項３】
頭部保護布（図１参照）の外観は前面に四角形状の平面を有して、イベント等で前面平面に模様ロゴ等を入れて、意思表示が出来る四角い形状の平面を有する事を、特徴とする請求項１記載の頭部保護布。
【請求項４】
頭部保護布（図１参照）にイベント等に使用する可動プレート（１９）を設けた事を、特徴とする請求項１記載の頭部保護布。
【請求項５】
頭部保護布本体（図３  図４参照）の形状を頭部との間に空間を形成する為、正面はコ字形で側面は回転板（７）を取り付ける形態を有して、又上部は可動プレート（１９）を取り付ける可動プレート軸受け（４）を持つ形態を形成する、取付柱（８）を有する事を特徴とする請求項１記載の頭部保護布。
【請求項６】
頭部保護布本体（図３  図４参照）を人の頭部で三角形に開ける構造は取付柱（８）の収納主点ボルト（６）をゆるめて、収納主点ボルト（６）をスライド穴（１２）の上に移動して回転板（７）を開いて、頭部保護布本体（図３  図４参照）を頭部保護布連結ボルト（１１）を軸として開らいて収納主点ボルト（６）締めて三角に固定する構の取付柱（８）を有する事を、特徴とする請求項１記載の頭部保護布。
【請求項７】
頭部保護布（図１参照）の格納の構造は取付柱（８）の収納主点ボルト（６）をゆるめて、収納主点ボルト（６）をスライド穴（１２）の下に移動して回転板（７）を取付柱（８）に収納して、頭部保護布本体（図３  図４参照）を頭部保護布連結ボルト（１１）を軸として閉じてコンパクトに収納（図１０参照）する構造を形成する回転板（７）を有する事を特徴とする請求項１記載の頭部保護布。
【請求項８】
頭部保護布（図１参照）に外圧が掛かった時、正面，側面からの力は、取付対象物金具（９）に取付柱（８）を差込み前後左右の力を抑え、上への脱落の力は取付対象物金具（９）内のマグネット磁石（１３）に取付柱（８）のカギＬ字（１４）を引っ掛け上に脱落する力を抑える構造を、特徴とする請求項１記載の頭部保護布。
【請求項９】
頭部保護布本体（図３  図４参照）の前面に、顔に風を送る電動送風機（１５）を設けた事を、特徴とする請求項１記載の頭部保護布。
【請求項１０】
頭部保護布（図１参照）に後部首筋を直射日光から守る後部首筋保護布（１７）を設けた事を、特徴とする請求項１記載の頭部保護布。
【請求項１１】
頭部保護布本体（図３  図４参照）の側面に三角形の布を頭部保護布外枠（２）に取り付けて横からの日射しを遮り、又格納時は頭部保護布外枠（２）の内部へ移動に伴ってジャバラ状に格納する三角布を有する事を、特徴とする請求項１記載の頭部保護布。
【考案の詳細な説明】
【技術分野】
【０００１】本考案は夏の日差しや紫外線から人の頭部を守る頭部保護布に関する。
【背景技術】
【０００２】従来は日射しの強い屋外で人が活動するときは、直射日光を遮る為に日傘などを差して居た。
【考案の関示】
【考案が解決しようとする課題】
【０００３】日傘等は手に持って日除けするので手がふさがって、活動が制約されるので屋外での作業が困難である。
【課題解決するための手段】
【０００４】そこで頭，帽子，ヘルメット等の上に通気性を持たせる空間を作り、ワンタッチで脱着可能な頭部保護布を付けて日射しをさえぎる。
【考案の効果】
【０００５】頭部保護布を付ける事によって直射日光，紫外線をさえぎり、屋外での活動が楽になる。
【考案を実施するための最良の形態】
【０００６】考案の実施を示す図面を参照して説明する、図１は頭部保護布（図１参照）に取付金具（図５参照）を装着して取付対象物ヘルメット（１）に頭部保護布（図１参照）を取り付けた側面図である。【０００７】図２は取付対象物ヘルメット（１）に取付対象物金具（９）を結合して取付金具（図５参照）を装着した正面図である。【０００８】図３は頭部保護布本体（図３  図４）に取付金具（図５参照）を装着した、側面図で頭部保護布本体（図３  図４参照）を三角形に形成する回転板（７）を装着していて、頭部保護布本体（図３  図４参照）を取付金具（図５参照）の上で広げる時は、収納主点ボルト（６）をスライド穴（１２）の上に移動し回転板（７）を開いて収納主点ボルト（６）を締めて頭部保護布本体（図３  図４参照）を開けた状態で固定することを示した側面図である。【０００９】図４は頭部保護布本体（図３  図４参照）を折り畳んだ時の正面図である。【００１０】図５は頭部保護布本体（図３  図４参照）を取り外した取付金具（図５参照）の正面図である。【００１１】図６は取付金具（図５参照）の取付柱（８）と回転板（７）の側面図である。【００１２】図７は取付対象物金具（９）と取付柱（８）断片の正面図である。【００１３】図８は取付対象物金具（９）に取付柱（８）のカギＬ字（１４）部分を挿入した所の図７の断面図である、取付対象物金具（９）を取付対象物ヘルメット（１）に接着かボルト等で固定して、取付柱（８）のカギＬ字（１４）部分が取付対象物金具（９）に挿入され取り付け対象物金具マグネット磁石（１３）底辺に挿入する、よって頭部保護布（図１参照）の取付金具（図５参照）に装着されている取付柱（８）が上への脱落する事を防止する、よって取付柱（８）に接合されている頭部保護布（図１参照）が風圧等の外圧から安定する、取付金具（図５参照）を取付対象金具（９）からはずす時は左右の取付柱（８）を両サイドから外側に広げカギＬ字（１４）を取付対象物金具マグネット磁石（１３）の底辺からはずし取付柱（８）を上に引き出す事で取り付け対象物ヘルメット（１）から頭部保護布（図１参照）が外れる事を示す取付対象物金具（９）と取付柱（８）の断面図である。【００１４】図９は取付対象金具（９）をヘルメット外側断片（２１）に取り付けた状態を示す断面図である。【００１５】図１０は頭部保護布本体（図３  図４参照）を収納主点ボルト（６）を、ゆるめて回転板（７）を取付柱（８）に収納して、頭部保護布（図１参照）をコンパクトに収納した側面図である。【００１６】図１１は頭部保護布（図１参照）を頭部バンド（２０）で頭に装着して頭部保護布本体（図３  図４参照）の前面に顔に風が当たる位置に電動送風機（１５）を取り付け、頭後部に首筋保護布（１７）を設けた側面図である。【００１７】図１２は頭部保護布本体（図３  図４参照）の上に可動プレート（１９）を装着してイベント等で可動プレート（１９）を可動プレート軸受け（４）を軸として前後に可動させて、可動プレート（１９）に文字又は模様を入れイベント等で大いに意思表示が出来る、可動プレート（１９）を頭部保護布本体（図３  図４参照）に付けて上に立てた側面図である。【００１８】図１３は可動プレー���（１９）を頭部保護布本体（図３  図４参照）に収納した側面図である。【００１９】図１４は頭部保護布（図３  図４参照）の外枠（２）に三角形の布を付けて側面からの日射しを遮る形態を示した図である、又収納時は頭部保護布本体（図３  図４参照）が頭部保護布連結ボルト（１１）を軸として回転してコンパクになる時、三角形の布（２２）はジャバラ状に収納される。
【図面の簡単な説明】
【００２０】
【図１】頭部保護布をヘルメットに装着した時の側面図
【図２】ヘルメットに取付金具を付けた時の正面図
【図３】頭部保護布本体と取付金具の側面図
【図４】頭部保護布本体の正面図
【図５】取付金具の正面図
【図６】取付柱と回転板の側面図
【図７】取り付け対象物金具と回転柱の断片の正面図
【図８】取り付け対象物金具と取付柱断片（図７）の断面図
【図９】取り付け対象物金具をヘルメットに取り付けた断面図
【図１０】頭部保護布を収納した時の側面図
【図１１】頭部取り付けバンドを人の頭に取り付け頭部保護布本体に首筋保護布と，送風機を取り付けた側面図
【図１２】頭部保護布の上に可動プレートを立てた側面図
【図１３】頭部保護布に可動プレートを収納した側面図
【図１４】頭部保護布に３角布を付けた側面図
【符号の説明】
【００２１】１−ヘルメット本体
２−頭部保護布本体の外枠
３−頭部保護布本体の布
４−可動プレート軸受け
５−収納回転ノック穴
６−収納主点ボルト
７−回転板
８−取付柱
９−取り付け対象物側金具
１０−頭部保護布連結板
１１−頭部保護布連結ボルト
１２−スライド穴
１３−マグネット磁石
１４−カギＬ字
１５−送風機
１６−人
１７−首筋保護布
１８−頭部取り付けバンド
１９−可動プレート
２０−送風機取付マグネット
２１−ヘルメット外側の断片
２２−三角布
【図１】
0003157963.tif 000003
【図２】
0003157963.tif 000004
【図３】
0003157963.tif 000005
【図４】
0003157963.tif 000006
【図５】
0003157963.tif 000007
【図６】
0003157963.tif 000008
【図７】
0003157963.tif 000009
【図８】
0003157963.tif 000010
【図９】
0003157963.tif 000011
【図１０】
0003157963.tif 000012
【図１１】
0003157963.tif 000013
【図１２】
0003157963.tif 000014
【図１３】
0003157963.tif 000015
【図１４】
0003157963.tif 000016
【手続補正書】
【提出日】平成21年4月20日(2009.4.20)
【手続補正１】
【補正対象書類名】実用新案登録請求の範囲
【補正対象項目名】請求項１
【補正方法】変更
【補正の内容】
【請求項１】
ヘルメット，帽子等に直射日光が当たらないように、脱着可能な取り付け金具部品コ字天板（１５）にマジックテープを使って接合出来る事を特徴とする頭部保護布
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
ヘルメット，帽子等に直射日光が当たらないように、脱着可能な取り付け金具部品コ字天板（１５）に面ファスナーを使って接合出来る事を特徴とする頭部保護布
【請求項２】
頭部保護布の外観は前面に平面を有して、イベント等で前面平面に模様ロゴ等を入れて、意思表示が出来る平面を有する事を、特徴とする請求項１記載の頭部保護布。
【請求項３】
頭部保護布の側面は頭部に密着でなく、通気性の空間を持たせる三角形の形状を、特徴とする請求項１記載の頭部保護布。
【請求項４】
頭部保護布の格納の形態は取付柱（８）の収納主点ボルト（６）をゆるめて、収納主点ボルト（６）をスライド穴（１２）の下に移動して回転板（７）を取付柱（８）に収納して、頭部保護布本体を頭部保護布連結ボルト（１１）を軸として閉じてコンパクトに収納する構造を、特徴とする請求項１記載の頭部保護布
【請求項５】
頭部保護布に外圧が掛かった時、正面，側面からの力は、取付対象物金具（９）に取付柱（８）を差込み前後左右の力を抑え、上への脱落の力は取付対象物金具（９）内のマグネット磁石（１３）に取付柱（８）のカギＬ字（１４）を引っ掛け上に脱落する力を抑える構造を、特徴とする請求項１記載の頭部保護布
【請求項６】
取付対象物金具（９）は下部にマグネット磁石（１３）を有して、ワンタッチで脱着が可能な構造を有する事を、特徴とする請求項１記載の頭部保護布
【請求項７】
頭部保護布本体の前面に、顔に風を送る電動送風機（１５）を設けた事を、特徴とする請求項１記載の頭部保護布。
【請求項８】
頭部保護布本体と電動送風機（１５）の結合はマグネット磁石（２０）を使用してワンタッチで脱着出来る事を、特徴とする請求項１記載の頭部保護布。
【請求項９】
頭部保護布に後部首筋を直射日光から守る後部首筋保護布（１７）を設けた事を、特徴とする請求項１記載の頭部保護布。
【請求項１０】
頭部保護布にイベント等に使用する稼動布（１９）を設けた事を、特徴とする請求項１記載の頭部保護布。
【請求項１１】
頭部保護布本体の側面に三角形の布を頭部保護布外枠（２）に取り付けて横からの日射しを遮り、又格納時は頭部保護布外枠（２）の内部へ移動に伴ってジャバラ状に格納する事を、特徴とする請求項１記載の頭部保護布。